(57)【要約】【課題】スライダが正しく復帰していることを確認容易なカード用コネクタを提供する。【解決手段】コネクタ１は、カード８が挿抜される凹部１ａを形成するハウジング１ｈと凹部１ａを覆うカバー２を備える。スライダ４はカード８の挿抜方向と平行する方向に進退し、かつ傾動できる。圧縮コイルばね５はカード８が排出される方向に力を付勢する。案内棒６はハート状のカム溝４１に連結する。スライダ４は突出片４７を有し、ハウジング１ｈは、突出片４７が進退する通路１５と、通路１５に連通して上面に開口される窓１ｍと、通路１５を開閉可能に窓１ｍの片翼に回転支持される扉１６と、を有する。カバー２は、スライダ４が復帰して突出片４７が扉１６を押し上げて窓１６を閉じることを視認容易に開口している。【選択図】図１
2008277197.tif 000002
【特許請求の範囲】
【請求項１】
略矩形に形成されたカードが挿抜される開口を有する第１凹部を形成する板状のハウジングと、この第１凹部を覆うカバーと、を備えるカード用コネクタであって、
上面にハート状のカム溝を有するスライダであって、前記第１凹部の片翼に配置されて前記カードの挿抜方向と平行する方向に進退し、かつ傾動可能なスライダと、
前記ハウジングに保持され、前記スライダを前記カードが排出される方向に力を付勢し、かつ当該スライダを傾斜状態に矯正する圧縮コイルばねと、
一端が前記ハート状のカム溝に連結し、他端が前記ハウジングに回転自在に保持される案内棒と、を備え、
前記スライダは、前記開口に向かって突出する棒状の突出片を有し、
前記ハウジングは、前記突出片が進退可能に前記開口に向かって貫通する通路と、この通路に連通して上面に開口される第１窓と、前記通路を開閉可能に前記第１窓の片翼に回転支持される扉と、を有し、
前記カバーは、前記スライダが復帰して当該突出片が前記扉を押し上げて前記第１窓を閉じることを視認容易に開口しているカード用コネクタ。
【請求項２】
略矩形に形成されたカードが挿抜される開口を有する第１凹部を形成する板状のハウジングと、この第１凹部を覆うカバーと、を備えるカード用コネクタであって、
上面にハート状のカム溝を有するスライダであって、前記第１凹部の片翼に配置されて前記カードの挿抜方向と平行する方向に進退し、かつ傾動可能なスライダと、
前記ハウジングに保持され、前記スライダを前記カードが排出される方向に力を付勢し、かつ当該スライダを傾斜状態に矯正する圧縮コイルばねと、
一端が前記ハート状のカム溝に連結し、他端が前記ハウジングに回転自在に保持される案内棒と、を備え、
前記スライダは、前記開口に向かって突出する棒状の突出片を有し、
前記ハウジングは、前記突出片が進退可能に前記開口に向かって貫通する通路と、この通路の端縁に表出される第２窓と、を有し、
前記突出片は、前記スライダが復帰して当該突出片の先端面が前記第２窓を閉じることを視認容易にしているカード用コネクタ。
【請求項３】
前記ハウジングと前記スライダとは、識別容易に色相を異ならせている請求項１又は２記載のカード用コネクタ。
【請求項４】
前記カードは、一方の側面途上に形成された斜辺と、この斜辺に隣接される略方形の第２凹部と、を有し、
前記スライダは、前記第１凹部の片翼側から当該第１凹部に突出して前記カードの斜辺に当接する係合片と、前記第２凹部に出入りする係止爪と、底面から突出する円柱突起と、この円柱突起に隣接されるガイド溝と、を有し、
前記第１凹部は、前記開口に向かって延出して前記円柱突起を案内する長穴と、この長穴と略平行に形成されて前記ガイド溝がスライドするレールと、を有し、
前記ハート状のカム溝を有する前記スライダを動節となるカムとし、前記案内棒を従動節とし、前記スライダと前記案内棒とは前記カムと前記従動節が相対変位するカム装置を構成し、
前記案内棒の一端が前記ハート状のカム溝の出発点に係止しているときは、前記スライダは、前記圧縮コイルばねに付勢されて前記係止爪が前記第２凹部から待避するように傾斜配置され、
前記第１凹部に前記カードを挿入すると、当該カードの斜辺が前記係合片を押すことにより、前記圧縮コイルばねの付勢力に抗して、前記スライダの傾斜状態が矯正されて前記係止爪が回動して前記第２凹部に入り込み、
当該カードを更に挿入すると、前記圧縮コイルばねの付勢力に抗して、当該カードに追従して前記スライダは挿入方向に平行移動すると共に、前記案内棒の一端が前記ハート状のカム溝の行き行程を移動し、
前記案内棒の一端が前記ハート状のカム溝の頂点に形成されたＶ字溝に係止することにより前記スライダが位置固定され、前記係止爪が前記第２凹部に入り込んでいることにより前記カードの装着状態が維持される請求項１から３のいずれかに記載のカード用コネクタ。
【請求項５】
前記案内棒の一端が前記Ｖ字溝に係止することにより前記スライダが位置固定され、前記係止爪が前記第２凹部に入り込んでいる前記カードの装着状態から当該カードを挿入方向に押すと、前記案内棒の一端はＶ字溝から解放されて帰り行程の軌跡に移動すると共に、前記スライダは前記圧縮コイルばねに付勢されて反挿入方向に平行移動し、
前記案内棒の一端が前記帰り行程の軌跡から前記ハート状のカム溝の出発点に戻る過程では、当該カードは前記係合片に引きずられて反挿入方向に移動し、
前記案内棒の一端が前記ハート状のカム溝の出発点に戻って係止しているときは、前記スライダは、前記圧縮コイルばねに付勢されて前記係止爪が前記第２凹部から待避するように傾斜配置され、
当該カードは、前記スライダに連結している前記圧縮コイルばねの付勢力により前記第１凹部から抜去される請求項４記載のカード用コネクタ。
【発明の詳細な説明】
【技術分野】
【０００１】
本発明は、カード用コネクタに関する。特に、本発明は、ＳＤ（Ｓｅｃｕｒｅ  Ｄｉｇｉｔａｌ）カードなどのメモリカードが挿入されることによって、このメモリカードと電気的に接続するカード用コネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器の記録メディアとして普及している。
【０００３】
フレキシブルディスク（ＦＤ）や光磁気ディスク（ＭＯ）などのディスク型の記憶装置に比較して、このメモリカードは記憶容量が小さく、又、高価であるとされてきた。しかし、近年の技術進歩やメモリカードを使用する機器の普及に伴う量産効果により、低価格となってきている。
【０００４】
更に、メモリカードは、データの読み書きにＦＤやＭＯなどのように駆動装置を必要としないというメリットがあるため、消費電力や携帯性が重要視されるデジタルカメラやノート型パソコン、携帯音楽プレーヤーには好適である。
【０００５】
このようなメモリカード用のコネクタとして、メモリカードの着脱が確実であり、又、より簡易な構成のロック機構を有するメモリカード用コネクタが発明されている（例えば、特許文献１参照）。
【０００６】
特許文献１によるメモリカード用コネクタは、ハウジングとハウジングを覆うカバーを備えている。そして、ハウジングは、カード保持部と複数のカンチレバーコンタクトを備えている。カード保持部は、メモリカードが挿入されるカード挿入口を有している。カンチレバーコンタクトは、カード挿入口に対向して配列され、メモリカードに備わる面上接続端子と電気的に接触できる。
【０００７】
更に、特許文献１によるメモリカード用コネクタは、揺動スライダ、引張コイルばね、及び案内棒を備えている。揺動スライダは、メモリカードが入るためにハウジングに形成された凹部の片側の側部平面に対して変位可能に配置されている。又、揺動スライダは、ハート状のカム溝を上面に形成している。
【０００８】
引張コイルばねは、両端にフックを有し、一方のフックがハウジングに係止し、他方のフックが揺動スライダに係止している。引張コイルばねは、揺動スライダをメモリカードの反挿入方向に付勢し、かつ揺動スライダの傾斜状態を矯正できる。案内棒は、一端がハート状のカム溝に連結し、他端がハウジングに回転自在に保持されている。
【０００９】
そして、凹部の片側の側部平面には、第１ガイド、円柱状の突起、第２ガイドを形成している。第１ガイドは、カード挿入口に向かって延出している。円柱状の突起は、第１ガイドの終端に形成されている。第２ガイドは、第１ガイドと近接して平行に形成され、第１ガイドよりも凹部の中央寄りに配置されている。
【００１０】
一方、揺動スライダの底面には、座ぐり長穴、溝、及び凹部を形成している。座ぐり長穴は、円柱状の突起を案内し、引張コイルばねに付勢される揺動スライダの停止位置を規制する。溝は、座ぐり長穴の端部に形成されており、第１ガイドとすべり結合している。溝は、終端に向かってＶ字状に開口しているので、揺動スライダを揺動できる。凹部は、第２ガイドと揺動自在にすべり結合し、引張コイルばねに抗して揺動スライダが移動するときに、揺動スライダの直線運動を確保できる。
【００１１】
更に、揺動スライダは、Ｌ字状の第１爪と、第２爪を有している。Ｌ字状の第１爪は、メモリカードの挿入側隅部に当接される。第２爪は、メモリカードの側面に形成される凹部に出入りできる。メモリカードは、一方の隅部が直角に形成され、他方の隅部が斜面部を形成し、第２爪は、引張コイルばねに付勢されて、カード保持部から待避するように傾斜配置されている。
【００１２】
特許文献１によるメモリカード用コネクタは、ハート状のカム溝を有する揺動スライダを動節となるカムとし、案内棒を従動節とし、揺動スライダと案内棒とは、カムと従動節が相対変位するカム装置を構成している。そして、特許文献１のメモリカード用コネクタは、案内棒の一端がハート状のカム溝の出発点に係止しているときは、第２爪は、引張コイルばねに付勢されて、カード保持部から待避するように傾斜配置されるので、メモリカードの装着又は抜去を容易とすることができる。
【特許文献１】特開２００５−７１６６６号公報
【発明の開示】
【発明が解決しようとする課題】
【００１３】
しかし、特許文献１によるカード用コネクタは、揺動スライダが正しく復帰していることを確認することが容易でない。揺動スライダがカバーで覆われているからである。従来は、揺動スライダが復帰するときに、案内棒の一端がハート状のカム溝に形成された段差に着地する僅かな衝撃音で、揺動スライダが正しく復帰していることを確認していた。しかし、僅かな衝撃音を聞き取ることは容易ではない。揺動スライダが正しく復帰していることを容易に確認できれば、便利である。そして、以上のことが本発明の課題といってよい。
【００１４】
本発明は、このような問題に鑑みてなされたものであり、揺動するスライダを備えるカード用コネクタにおいて、スライダが正しく復帰していることを確認容易なカード用コネクタを提供することを目的とする。
【課題を解決するための手段】
【００１５】
本発明者らは、スライダの復帰状態を確認可能な窓をカード用コネクタに設けることにより、スライダが正しく復帰していることを確認容易なことを見出し、これに基づいて、以下のような新たなカード用コネクタを発明するに至った。
【００１６】
（１）  略矩形に形成されたカードが挿抜される開口を有する第１凹部を形成する板状のハウジングと、この第１凹部を覆うカバーと、を備えるカード用コネクタであって、上面にハート状のカム溝を有するスライダであって、前記第１凹部の片翼に配置されて前記カードの挿抜方向と平行する方向に進退し、かつ傾動可能なスライダと、前記ハウジングに保持され、前記スライダを前記カードが排出される方向に力を付勢し、かつ当該スライダを傾斜状態に矯正する圧縮コイルばねと、一端が前記ハート状のカム溝に連結し、他端が前記ハウジングに回転自在に保持される案内棒と、を備え、前記スライダは、前記開口に向かって突出する棒状の突出片を有し、前記ハウジングは、前記突出片が進退可能に前記開口に向かって貫通する通路と、この通路に連通して上面に開口される第１窓と、前記通路を開閉可能に前記第１窓の片翼に回転支持される扉と、を有し、前記カバーは、前記スライダが復帰して当該突出片が前記扉を押し上げて前記第１窓を閉じることを視認容易に開口しているカード用コネクタ。
【００１７】
（１）の発明によるカード用コネクタは、板状のハウジングとカバーを備えている。ハウジングは、第１凹部を形成している。第１凹部は、略矩形に形成されたカードが挿抜される開口を有している。カバーは、第１凹部を覆っている。
【００１８】
又、（１）の発明によるカード用コネクタは、スライダ、圧縮コイルばね、及び案内棒を備えている。スライダは、上面にハート状のカム溝を有している。又、スライダは、第１凹部の片翼に配置されており、カードの挿抜方向と平行する方向に進退し、かつ傾動可能となっている。圧縮コイルばねは、ハウジングに保持されており、スライダをカードが排出される方向に力を付勢している。更に、圧縮コイルばねは、スライダを傾斜状態に矯正する。案内棒の一端は、ハート状のカム溝に連結している。案内棒の他端は、ハウジングに回転自在に保持されている。
【００１９】
更に、（１）の発明によるカード用コネクタは、スライダが棒状の突出片を有している。突出片は、開口に向かって突出している。ハウジングは、通路、第１窓、及び扉を有している。通路は、突出片が進退可能に開口に向かって貫通している。第１窓は、通路に連通して上面に開口されている。扉は、通路を開閉可能に第１窓の片翼に回転支持されている。
【００２０】
そして、（１）の発明によるカード用コネクタは、スライダが復帰して、突出片が扉を押し上げて第１窓を閉じることを視認容易にカバーが開口している。
【００２１】
ここで、ハウジングは絶縁性を有している。絶縁性のハウジングとは、非導電性の材料からなるハウジングのことであってよく、合成樹脂を成形して、所望の形状の絶縁性のハウジングを得ることができる。そして、ハウジングの第１凹部に、複数のコンタクトが並設配置されている。並設とは、近接して一列に揃え、並べて設けることを意味している。コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００２２】
一般に、カードは、絶縁性のプラスチック筐体の内部にＩＣチップが収納されている。このＩＣチップは、筐体の表面に貼り付けられた複数の金属箔に接続されている。そして、並設配置された複数の金属箔がカードの接続端子となっている。ここで、個別のコンタクトは、個別の金属箔端子と一対一に接続されてよく、機械的及び電気的に接続する。
【００２３】
コンタクトは、ばねの働きが片持ち梁であるカンチレバーコンタクトが好ましく用いられる。コンタクトは、弾性アームと固定アームで構成されてよく、弾性アームは、第１凹部の底面から突出して、カードに形成された接続端子に接触する接点を設けてよく、固定アームは、第１凹部に圧入して固定することができる。
【００２４】
又、弾性アームは、カードが挿入される開口と対向する対向壁から突出してもよく、カードに形成された接続端子に接触する接点が第１凹部と対向してよく、固定アームは、対向壁に圧入して固定することができる。固定アームは、ハウジングと一体成形してもよい。リード部を固定アームの端部に形成してもよく、このリード部をプリント基板にはんだ接合することにより、このカード用コネクタを表面実装用コネクタとすることができる。
【００２５】
ハウジングは、対向する一対の側壁と、一対の側壁と直交してカードの先端縁と対向する対向壁を有してよく、一対の側壁と対向壁で囲われた薄直方体状の空間を「カードが挿抜される第１凹部」と規定できる。又、薄直方体状の空間をカード保持部とすることもできる。一方の側壁はスライダの側壁を利用し、他方の側壁をハウジングに形成してもよい。そして、この第１凹部がカバーで覆われることにより、対向壁と対向してカードが挿入される長方形の開口が形成される。ここで、対向する一対の側壁の距離は、カードの幅よりも僅かに広く、一対の側壁によりカードの姿勢（傾き）が規制され、カードに配列される接続端子とハウジングに並設配置されるコンタクトとが正しく位置合わせできる。
【００２６】
カバーは、金属薄板からなり、展開された金属薄板を成形加工することにより、所望の形状のカバーを得ることができる。カバーは、導電性の金属薄板からなることが好ましく、カードが挿入された第１凹部をカバーが覆うことにより、不要の電磁波を遮蔽するシールド効果が得られる。
【００２７】
カバーは、両翼が直角に折り曲げ加工されてよく、これらの折り曲げ片に矩形穴を形成し、ハウジングの両側面に突出するランスに係止するようにしてもよい。又、プリント基板にはんだ接合されるリード片をカバーに設けてよく、プリント基板との接合強度を補強でき、カバーをプリント基板のグランドに接地することもできる。ここで、第１凹部と対向するカバーの主面には、カードを第１凹部に付勢する一対の第１板ばねを設けてよく、案内棒をハート状のカム溝の底面に付勢する第２板ばねを設けることができる。
【００２８】
第１凹部の他方の側壁には、カードが装着位置に在ることを電気的に検出するカード検出スイッチが設けられてもよい。例えば、カード検出スイッチは、接触板と被接触板で構成されてよく、カードが装着位置に在るときは、カードに押されて接触板の先端が被接触板に接触して、カード検出スイッチが電気的に接続状態となる。カードを抜去すると、接触板の先端は復帰して被接触板から離反し、カード検出スイッチが電気的に遮断状態となる。このように、カードの有無が検出される。
【００２９】
ハウジングの一方の片翼には、後述するように、スライダを移動可能に案内する長穴及びレールが設けられてよく、スライダは、これら長穴及びレールに連結する円柱突起及びガイド溝を有している。そして、スライダは、これら長穴及びレールに規制されてカードの挿抜方向と平行する方向に進退できる。又、円柱突起が長穴の始端に位置しているときは、スライダを傾動できる。
【００３０】
例えば、スライダには、カードの挿抜方向と平行に突出する第１円柱突起が形成される。一方、ハウジングには、第１円柱突起に対向し、カードの挿抜方向と平行に突出する第２円柱突起が形成される。そして、圧縮コイルばねの両コイル端部を第１及び第２円柱突起間に装架することにより、スライダをカードが排出される方向に力を付勢できる。カードが挿入されない状態では、スライダは圧縮コイルばねに付勢されて、第１凹部の開口側に傾斜配置されて停止している。
【００３１】
突出片は、断面が矩形の四角棒であってよく、ハウジングは、四角棒の突出片が進退できるように、矩形の通路を有している。この通路は、突出片が傾斜しても進退できるように、余裕があることが好ましい。第１窓は、ハウジングの上面に矩形に開口してよく、通路に連通している。
【００３２】
扉は、一辺の両翼に互いに相反する向きに突出する一対の回動軸を設けてよく、第１窓の片翼に設けられた一対の枢止穴にこれら回動軸が支持されることにより、通路が開閉可能に扉を回転支持できる。
【００３３】
カードがハウジングに挿入されて、突出片の先端部が第１窓から離れた位置にあるときは、扉は、自重で垂下して通路を閉じている。一方、カードがハウジングから抜去されると、スライダが復帰して突出片が扉を押し上げて第１窓を閉じることができる。カバーは、第１窓の部分が開口しているので、扉が第１窓を閉じていることを容易に視認できる。又、スライダが移動して扉が第１窓を開いていることも容易に視認できる。
【００３４】
このように、（１）の発明によるカード用コネクタは、スライダの進退位置を扉が第１窓を開閉する状態変化で識別できる。そして、第１窓は、外部から視認容易に構成されているので、スライダが正しく復帰していることを確認容易である。
【００３５】
（２）  略矩形に形成されたカードが挿抜される開口を有する第１凹部を形成する板状のハウジングと、この第１凹部を覆うカバーと、を備えるカード用コネクタであって、上面にハート状のカム溝を有するスライダであって、前記第１凹部の片翼に配置されて前記カードの挿抜方向と平行する方向に進退し、かつ傾動可能なスライダと、前記ハウジングに保持され、前記スライダを前記カードが排出される方向に力を付勢し、かつ当該スライダを傾斜状態に矯正する圧縮コイルばねと、一端が前記ハート状のカム溝に連結し、他端が前記ハウジングに回転自在に保持される案内棒と、を備え、前記スライダは、前記開口に向かって突出する棒状の突出片を有し、前記ハウジングは、前記突出片が進退可能に前記開口に向かって貫通する通路と、この通路の端縁に表出される第２窓と、を有し、前記突出片は、前記スライダが復帰して当該突出片の先端面が前記第２窓を閉じることを視認容易にしているカード用コネクタ。
【００３６】
（２）の発明によるカード用コネクタは、板状のハウジングとカバーを備えている。ハウジングは、第１凹部を形成している。第１凹部は、略矩形に形成されたカードが挿抜される開口を有している。カバーは、第１凹部を覆っている。
【００３７】
又、（２）の発明によるカード用コネクタは、スライダ、圧縮コイルばね、及び案内棒を備えている。スライダは、上面にハート状のカム溝を有している。又、スライダは、第１凹部の片翼に配置されており、カードの挿抜方向と平行する方向に進退し、かつ傾動可能となっている。圧縮コイルばねは、ハウジングに保持されており、スライダをカードが排出される方向に力を付勢している。更に、圧縮コイルばねは、スライダを傾斜状態に矯正する。案内棒の一端は、ハート状のカム溝に連結している。案内棒の他端は、ハウジングに回転自在に保持されている。
【００３８】
更に、（２）の発明によるカード用コネクタは、スライダが棒状の突出片を有している。突出片は、開口に向かって突出している。ハウジングは、通路と第２窓を有している。通路は、突出片が進退可能に開口に向かって貫通している。第２窓は、通路の端縁に表出されている。
【００３９】
そして、（２）の発明によるカード用コネクタは、スライダが復帰して、突出片の先端面が第２窓を閉じることを視認容易にしている。
【００４０】
ここで、突出片は、断面が矩形の四角棒であってよく、ハウジングは、四角棒の突出片が進退できるように、矩形の通路を有している。この通路は、突出片が傾斜しても進退できるように、余裕があることが好ましい。第２窓は、ハウジングの前面に矩形に開口してよく、通路の端縁に表出される。
【００４１】
カードがハウジングに挿入されて、突出片の先端面が第２窓から離れた位置にあるときは、第２窓の内部は空洞であり、ハウジングに対してスライダが移動していることを視認できる。一方、カードがハウジングから抜去されると、突出片の先端面が第２窓を閉じることにより、スライダが復帰していることを視認できる。
【００４２】
このように、（２）の発明によるカード用コネクタは、スライダの進退位置を突出片の先端面が第２窓を開閉する状態変化で識別できる。そして、第２窓は、外部から視認容易に表出されているので、スライダが正しく復帰していることを確認容易である。
【００４３】
（３）  前記ハウジングと前記スライダとは、識別容易に色相を異ならせている（１）又は（２）記載のカード用コネクタ。
【００４４】
例えば、ハウジングは黒色の合成樹脂で成形されてよく、スライダは緑色の合成樹脂で成形されてよく、ハウジングとスライダとは、識別容易に色相を異ならせている。扉も緑色の合成樹脂で成形されことが好ましい。（３）の発明によるカード用コネクタは、スライダが正しく復帰していることを容易に識別できる。
【００４５】
（４）  前記カードは、一方の側面途上に形成された斜辺と、この斜辺に隣接される略方形の第２凹部と、を有し、前記スライダは、前記第１凹部の片翼側から当該第１凹部に突出して前記カードの斜辺に当接する係合片と、前記第２凹部に出入りする係止爪と、底面から突出する円柱突起と、この円柱突起に隣接されるガイド溝と、を有し、前記第１凹部は、前記開口に向かって延出して前記円柱突起を案内する長穴と、この長穴と略平行に形成されて前記ガイド溝がスライドするレールと、を有し、前記ハート状のカム溝を有する前記スライダを動節となるカムとし、前記案内棒を従動節とし、前記スライダと前記案内棒とは前記カムと前記従動節が相対変位するカム装置を構成し、前記案内棒の一端が前記ハート状のカム溝の出発点に係止しているときは、前記スライダは、前記圧縮コイルばねに付勢されて前記係止爪が前記第２凹部から待避するように傾斜配置され、前記第１凹部に前記カードを挿入すると、当該カードの斜辺が前記係合片を押すことにより、前記圧縮コイルばねの付勢力に抗して、前記スライダの傾斜状態が矯正されて前記係止爪が回動して前記第２凹部に入り込み、当該カードを更に挿入すると、前記圧縮コイルばねの付勢力に抗して、当該カードに追従して前記スライダは挿入方向に平行移動すると共に、前記案内棒の一端が前記ハート状のカム溝の行き行程を移動し、前記案内棒の一端が前記ハート状のカム溝の頂点に形成されたＶ字溝に係止することにより前記スライダが位置固定され、前記係止爪が前記第２凹部に入り込んでいることにより前記カードの装着状態が維持される（１）から（３）のいずれかに記載のカード用コネクタ。
【００４６】
（４）の発明によるカード用コネクタは、カードが斜辺と略方形の第２凹部を有している。斜辺は、カードの一方の側面途上に形成されている。第２凹部は、斜辺に隣接されている。スライダは、係合片、係止爪、円柱突起、及びガイド溝を有している。係合片は、第１凹部の片翼側から第１凹部に突出しており、カードの斜辺に当接する。係止爪は、第２凹部に出入りする。円柱突起は、スライダの底面から突出している。ガイド溝は、円柱突起に隣接している。第１凹部は、長穴とレールを有している。長穴は、開口に向かって延出しており、円柱突起を案内する。レールは、長穴と略平行に形成されており、ガイド溝がスライドする。
【００４７】
（４）の発明によるカード用コネクタは、ハート状のカム溝を有するスライダを動節となるカムとし、案内棒を従動節とし、スライダと案内棒とはカムと従動節が相対変位するカム装置を構成している。案内棒の一端がハート状のカム溝の出発点に係止しているときは、スライダは、圧縮コイルばねに付勢されて係止爪が第２凹部から待避するように傾斜配置されている。
【００４８】
第１凹部にカードを挿入すると、カードの斜辺が係合片を押すことにより、圧縮コイルばねの付勢力に抗して、スライダの傾斜状態が矯正されて係止爪が回動して第２凹部に入り込む。カードを更に挿入すると、圧縮コイルばねの付勢力に抗して、カードに追従してスライダは挿入方向に平行移動すると共に、案内棒の一端がハート状のカム溝の行き行程を移動する。
【００４９】
そして、案内棒の一端がハート状のカム溝の頂点に形成されたＶ字溝に係止することによりスライダが位置固定され、係止爪が第２凹部に入り込んでいることによりカードの装着状態が維持される。
【００５０】
（４）の発明によるカード用コネクタは、簡易な構成のロック機構を有しており、カードを確実に装着できる。
【００５１】
（５）  前記案内棒の一端が前記Ｖ字溝に係止することにより前記スライダが位置固定され、前記係止爪が前記第２凹部に入り込んでいる前記カードの装着状態から当該カードを挿入方向に押すと、前記案内棒の一端はＶ字溝から解放されて帰り行程の軌跡に移動すると共に、前記スライダは前記圧縮コイルばねに付勢されて反挿入方向に平行移動し、前記案内棒の一端が前記帰り行程の軌跡から前記ハート状のカム溝の出発点に戻る過程では、当該カードは前記係合片に引きずられて反挿入方向に移動し、前記案内棒の一端が前記ハート状のカム溝の出発点に戻って係止しているときは、前記スライダは、前記圧縮コイルばねに付勢されて前記係止爪が前記第２凹部から待避するように傾斜配置され、当該カードは、前記スライダに連結している前記圧縮コイルばねの付勢力により前記第１凹部から抜去される（４）記載のカード用コネクタ。
【００５２】
（５）の発明によるカード用コネクタは、案内棒の一端がＶ字溝に係止することによりスライダが位置固定され、係止爪が第２凹部に入り込んでいるカードの装着状態からカードを挿入方向に押すと、案内棒の一端はＶ字溝から解放されて帰り行程の軌跡に移動すると共に、スライダは圧縮コイルばねに付勢されて反挿入方向に平行移動する。
【００５３】
案内棒の一端が帰り行程の軌跡かハート状のカム溝の出発点に戻る過程では、カードは係合片に引きずられて反挿入方向に移動する。案内棒の一端がハート状のカム溝の出発点に戻って係止しているときは、スライダは、圧縮コイルばねに付勢されて係止爪が第２凹部から待避するように傾斜配置される。そして、カードは、スライダに連結している圧縮コイルばねの付勢力により第１凹部から抜去される。
【００５４】
（４）の発明によるカード用コネクタは、簡易な構成のロック機構を有しており、カードを確実に抜去できる。
【発明の効果】
【００５５】
本発明によるカード用コネクタは、揺動するスライダを備えるカード用コネクタであって、スライダの復帰状態を確認可能な窓をカード用コネクタに設けているので、スライダが正しく復帰していることを確認容易である。ハウジングとスライダとは、識別容易に色相を異ならせることが好ましく、スライダが正しく復帰していることを容易に識別できる。
【発明を実施するための最良の形態】
【００５６】
以下、図面を参照して本発明を実施するための最良の形態を説明する。
【００５７】
図１は、本発明によるカード用コネクタの第１実施形態を示す斜視外観図であり、カバーを外した状態図である。図２は、前記第１実施形態によるカード用コネクタの斜視外観図であり、扉を外した状態図である。図３は、前記第１実施形態によるカード用コネクタの斜視分解組立図である。図４は、前記第１実施形態によるカード用コネクタの斜視分解組立図であり、図３と異なる方向からカード用コネクタを観ている。図５は、前記第１実施形態によるカード用コネクタの平面図である。
【００５８】
図６は、本発明によるカード用コネクタの第２実施形態を示す斜視外観図であり、カバーを外した状態図である。図７は、前記第２実施形態によるカード用コネクタの斜視分解組立図である。図８は、前記第２実施形態によるカード用コネクタの斜視分解組立図であり、図７と異なる方向からカード用コネクタを観ている。図９は、前記第２実施形態によるカード用コネクタの平面図である。図１０は、前記第１及び第２実施形態によるカード用コネクタに備わるスライダの斜視外観図である。
【００５９】
最初に、本発明の第１実施形態によるカード用コネクタ（以下、コネクタと略称する）の構成を説明する。図１から図４において、コネクタ１は、板状のハウジング１ｈとカバー２を備えている。ハウジング１ｈは、凹部１ａを形成している。凹部１ａは、略矩形に形成されたカード８が挿抜される開口１ｂを有している。カバー２は、凹部１ａを覆っている。
【００６０】
図１から図４において、ハウジング１ｈは、一対の側壁１１ａ・１１ｂと対向壁１１ｃを有している。対向壁１１ｃは、一対の側壁１１ａ・１１ｂと直交しており、カード８の先端縁８ａと対向している。一対の側壁１１ａ・１１ｂと対向壁１１ｃで囲われた薄直方体状の空間を凹部１ａと規定できる。側壁１１ｂは、スライダ４の側壁４ａを利用している。凹部１ａがカバー２で覆われることにより、カード８が挿入される横長の開口１ｂが形成されている。
【００６１】
図１から図４において、カバー２は、両翼が直角に折り曲げ加工されている。そして、これらの折り曲げ片に矩形穴２ａが形成され、ハウジング１ｈの両側面に突出するランス１ｃに係止できる。又、カバー２は、プリント基板１ｐにはんだ接合される複数のリード片２ｂを設けている。これらリード片２ｂは、プリント基板１ｐとの接合強度を補強すると共に、カバー２をプリント基板１ｐのグランドに接地できる。凹部１ａと対向するカバー２の主面２ｃには、カード８を凹部１ａに付勢する一対の板ばね２ｄを設けており、又、案内棒６をハート状のカム溝４１の底面に付勢する板ばね２ｅを設けている。
【００６２】
図５において、コネクタ１は、複数のカンチレバーコンタクト３を凹部１ａに並設配置している。カンチレバーコンタクト３は、弾性アーム３ａと固定アーム３ｂで構成されている。弾性アーム３ａは、凹部１ａの底面から突出して、カード８の接続端子８ｄ（図１参照）に接触する接点３ｄを有している。カード８は、並設配置された複数の金属箔が接続端子８ｄとなっている。固定アーム３ｂは、対向壁１１ｃに圧入して固定されている。プリント基板１ｐ（図１参照）にはんだ接合されるリード部３ｃを、固定アーム３ｂの端部に有している。
【００６３】
図１から図４において、コネクタ１は、スライダ４、圧縮コイルばね５、及び案内棒６を備えている。スライダ４は、上面にハート状のカム溝４１を有している。又、スライダ４は、凹部１ａの片翼に配置されており、カード８の挿抜方向と平行する方向に進退し、かつ傾動可能となっている。圧縮コイルばね５は、ハウジング１ｈに保持されており、スライダ４をカード８が排出される方向に力を付勢している。更に、圧縮コイルばね５は、スライダ４を傾斜状態に矯正する。案内棒６の一端６ａは、ハート状のカム溝４１に連結している。案内棒６の他端６ｂは、ハウジング１ｈに回転自在に保持されている。
【００６４】
図３又は図４において、ハウジング１ｈは、一方の片翼にスライダ４を移動可能に案内する長穴１２とレール１３を有している。スライダ４は、長穴１２とレール１３に連結する円柱突起４２とガイド溝４３を有している（図１０参照）。そして、スライダ４は、長穴１２とレール１３に規制されてカード８の挿抜方向と平行する方向に進退する。又、円柱突起４２が長穴１２の始端１２ａに位置しているときは、スライダ４を傾動する。
【００６５】
図３において、スライダ４は、カード８の挿抜方向と平行に突出する円柱突起４４を有している。一方、ハウジング１ｈは、円柱突起４４に対向し、カード８の挿抜方向と平行に突出する円柱突起１４を有している。そして、圧縮コイルばね５の両コイル端部を円柱突起４４と円柱突起１４との間に装架することにより、スライダ４をカード８が排出される方向に力を付勢する（図５参照）。カード８が挿入されない状態では、スライダ４は圧縮コイルばね５に付勢されて、凹部１ａの開口１ｂ側に傾斜配置されて停止している（図５参照）。
【００６６】
図３又は図４において、カード８は、斜辺８ｂと略方形の凹部８ｃを有している。斜辺８ｂは、カード８の一方の側面途上に形成されている。凹部８ｃは、斜辺８ｂに隣接している。一方、スライダ４は、係合片４５と係止爪４６を有している。係合片４５は、凹部１ａの片翼側から突出しており、カード８の斜辺８ｂに当接できる。係止爪４６は、凹部８ｃに出入りする。
【００６７】
図３又は図４において、スライダ４は、棒状の突出片４７を有している。又、ハウジング１ｈは、通路１５、窓１ｍ、及び扉１６を有している。そして、通路１５は、突出片４７が進退可能に開口１ｂに向かって貫通している。なお、通路１５は、突出片４７が傾斜しても進退できるように、余裕をもって開口している。又、窓１ｍは、通路１５に連通して上面に開口している。
【００６８】
図４に示されるように、扉１６は、一辺の両翼に互いに相反する向きに突出する一対の回動軸１６ａ・１６ｂを有している。そして、窓１ｍの片翼に設けられた一対の枢止穴１５ａ・１５ｂにこれら回動軸１６ａ・１６ｂが支持されることにより、通路１５が開閉可能に扉１６を回転支持する。カバー２は、窓１ｍを視認容易な開口２ｇを有している。
【００６９】
図５において、ハウジング１ｈは、カード検出スイッチ７を側壁１１ａに設けている。カード検出スイッチ７は、接触板７１と被接触板７２で構成されている。カード８が装着位置に在るときは、カード８の側面に押されて接触板７１の先端７１ａが被接触板７２に接触して、電気的に接続状態となる。カード８を抜去すると、接触板７１が復帰して被接触板７２から離反し、電気的に遮断状態となる。このように、カード８の有無が検出される。
【００７０】
次に、本発明によるコネクタ１の構成を捕捉しつつ作用を説明する。
【００７１】
図５において、コネクタ１は、ハート状のカム溝４１を有するスライダ４を動節となるカムとし、案内棒６を従動節とし、スライダ４と案内棒６とはカムと従動節が相対変位するカム装置を構成している。案内棒６の一端６ａがハート状のカム溝４１の出発点４１ａに係止しているときは、スライダ４は、圧縮コイルばね５に付勢されて係止爪４６が凹部８ｃから待避するように傾斜配置されている。
【００７２】
次に、図１において、ハウジング１ｈにカード８を挿入すると、カード８の斜辺８ｂが係合片４５を押すことにより、圧縮コイルばね５の付勢力に抗して、スライダ４の傾斜状態が矯正されて係止爪４６が回動して凹部８ｃに入り込む。カード８を更に挿入すると、圧縮コイルばね５の付勢力に抗して、カード８に追従してスライダ４は挿入方向に平行移動すると共に、案内棒６の一端６ａがハート状のカム溝４１の行き行程を移動する（図５参照）。
【００７３】
次に、ハート状のカム溝４１の頂点に形成されているＶ字溝４１ｖに、案内棒６の一端６ａが係止することにより、スライダ４が位置固定される（図５参照）。そして、係止爪４６が凹部８ｃに入り込むことによりカード８の装着状態が維持される。このとき、突出片４７の先端部４７ａは窓１ｍから移動し、扉１６は、自重で垂下して通路１５を閉じる（図１参照）。
【００７４】
次に、ハウジング１ｈのカード８を挿入方向に押すと、案内棒６の一端６ａはＶ字溝４１ｖから解放されて帰り行程の軌跡に移動すると共に、スライダ４は圧縮コイルばね５に付勢されて反挿入方向に平行移動する（図５参照）。案内棒６の一端６ａが帰り行程の軌跡かハート状のカム溝４１の出発点４１ａに戻る過程では、カード８は係合片４５に引きずられて反挿入方向に移動する。
【００７５】
次に、案内棒６の一端６ａがハート状のカム溝４１の出発点４１ａに戻って係止しているときは、スライダ４は、圧縮コイルばね５に付勢されて係止爪４６が凹部８ｃから待避するように傾斜配置（矯正）される。そして、カード８は、スライダ４に連結している圧縮コイルばね５の付勢力により凹部１ａから抜去される。又、突出片４７は、扉１６を押し上げて窓１ｍを閉じる（図１参照）。
【００７６】
このように、カード８がハウジング１ｈに挿入されて、突出片４７の先端部４７ａが窓１ｍから離れた位置にあるときは、扉１６は、自重で垂下して通路１５を閉じている。一方、カード８がハウジング１ｈから抜去されると、スライダ４が復帰して突出片４７が扉１６を押し上げて窓１ｍを閉じることができる。そして、カバー２は、開口２ｇから、扉１６が窓１ｍを閉じていることを容易に視認できる。又、スライダ４が移動して扉１６が窓１ｍを開けていることも容易に視認できる。
【００７７】
次に、本発明の第２実施形態によるカード用コネクタの構成と作用を説明する。図１から図５に示された第１実施形態によるコネクタ１に対し、図６から図９は、第２実施形態によるコネクタ１０を示している。
【００７８】
第１実施形態によるコネクタ１と第２実施形態によるコネクタ１０とは、構成と作用をほぼ同一としている。したがって、図６から図９に示された第２実施形態では、第１実施形態との違いのみを説明し、第１実施形態と同様の説明は割愛することがある。
【００７９】
図６から図８において、ハウジング１０ｈは、通路１５と窓１０ｍを有している。通路１５は、突出片４７が進退可能に開口１ｂに向かって貫通している。通路１５は、突出片４７が傾斜しても進退できるように、余裕があることが好ましい。そして、窓１０ｍは、ハウジング１０ｈの前面に矩形に開口しており、通路１５の端縁に表出されている。
【００８０】
図６において、カード８がハウジング１０ｈに挿入されて、突出片４７の先端面４７ｂが窓１０ｍから離れた位置にあるときは、窓１０ｍの内部は空洞であり、ハウジング１０ｈに対してスライダ４が移動していることを視認できる。一方、カード８がハウジング１０ｈから抜去されると、突出片４７の先端面４７ｂが窓１０ｍを閉じることにより、スライダ４が復帰していることを視認できる。なお、カード８の挿入時、及び抜去時のスライダ４の作用は、第１実施形態と同様である。
【００８１】
このように、コネクタ１０は、スライダ４の進退位置を突出片４７の先端面４７ｂが窓１０ｍを開閉する状態変化で識別できる。そして、窓１０ｍは、外部から視認容易に表出されているので、スライダ４が正しく復帰していることを確認容易である。
【００８２】
本発明の第１実施形態によるハウジング１ｈと扉１６とは、識別容易に色相を異ならせてよく、又、第２実施形態のハウジング１０ｈとスライダ４との色相を異ならせてよい。例えば、第１実施形態において、ハウジング１ｈを黒色、扉１６を緑色とすることにより識別容易である。このとき、窓１ｍから緑色を視認できるときは、カード８が挿入されていない状態であると識別できる。又、第２実施形態において、ハウジング１０ｈを黒色、スライダ４を緑色とすることにより識別容易である。このとき、窓１０ｍから緑色を視認できるときは、カード８が挿入されていない状態であると識別できる。
【図面の簡単な説明】
【００８３】
【図１】本発明によるカード用コネクタの第１実施形態を示す斜視外観図であり、カバーを外した状態図である。
【図２】前記第１実施形態によるカード用コネクタの斜視外観図であり、扉を外した状態図である。
【図３】前記第１実施形態によるカード用コネクタの斜視分解組立図である。
【図４】前記第１実施形態によるカード用コネクタの斜視分解組立図であり、図３と異なる方向からカード用コネクタを観ている。
【図５】前記第１実施形態によるカード用コネクタの平面図である。
【図６】本発明によるカード用コネクタの第２実施形態を示す斜視外観図であり、カバーを外した状態図である。
【図７】前記第２実施形態によるカード用コネクタの斜視分解組立図である。
【図８】前記第２実施形態によるカード用コネクタの斜視分解組立図であり、図７と異なる方向からカード用コネクタを観ている。
【図９】前記第２実施形態によるカード用コネクタの平面図である。
【図１０】前記第１及び第２実施形態によるカード用コネクタに適用されるスライダの斜視外観図である。
【符号の説明】
【００８４】
１・１０  カード用コネクタ
１ａ  第１凹部
１ｂ  開口
１ｈ・１０ｈ  ハウジング
１ｍ・１０ｍ  第１窓及び第２窓
２・２０  カバー
４  スライダ
５  圧縮コイルばね
６  案内棒
８  カード
１５  通路
１６  扉
４１  ハート状のカム溝
４７  突出片
【図１】
2008277197.tif 000003
【図２】
2008277197.tif 000004
【図３】
2008277197.tif 000005
【図４】
2008277197.tif 000006
【図５】
2008277197.tif 000007
【図６】
2008277197.tif 000008
【図７】
2008277197.tif 000009
【図８】
2008277197.tif 000010
【図９】
2008277197.tif 000011
【図１０】
2008277197.tif 000012